(57)【要約】      （修正有）【課題】折り畳んで洋服の胸ポケットに収まるコンパクトサイズになる折り畳み式コンパクトバッグを提供する。【解決手段】矩形状の正面部１２と、正面部と重なり合う矩形状の背面部１３と、正面部及び背面部の両方の側部にそれぞれ折り畳まれて設けられるマチ部１４とを備え、上部に開口部１５を有し、開口部に折り畳み可能な持ち手１６が縫着され、下部に所用広さの底部１７を有する折り畳み式コンパクトバッグ１１であって、第１谷折り目２１及び第２ガイドステッチ部に沿って折り畳むと共に、第１ガイドステッチ部２２及び第２谷折り目に沿って折り畳んでから、第１横折り目２５に沿って折り畳み、さらに第２横折り目２６に沿って折り畳めば、矩形状のコンパクト体が形成できる構成である。【選択図】図１
0003232593.tif 000002
【実用新案登録請求の範囲】
【請求項１】
矩形状の正面部と、該正面部と重なり合う矩形状の背面部と、前記正面部及び前記背面部の両方の側部にそれぞれ折り畳まれて設けられるマチ部とを備え、上部に開口部を有し、該開口部に折り畳み可能な持ち手が縫着され、下部に所用広さの底部を有する折り畳み式コンパクトバッグであって、
前記正面部には、第１谷折り目と、山折り目用の第１ガイドステッチ部とが所定の間隔を開けて設けられ、
前記背面部には、前記第１ガイドステッチ部と重なる位置に第２谷折り目が設けられ、前記第１谷折り目と重なる位置に山折り目用の第２ガイドステッチ部が設けられ、
前記第１谷折り目及び前記第２ガイドステッチ部に沿って折り畳んだ状態と共に、前記第１ガイドステッチ部及び前記第２谷折り目に沿って折り畳んだ状態において、第１横折り目が設けられており、
該第１横折り目に沿って折り畳んだ状態において、第２横折り目が設けられており、
該第２横折り目に沿って折り畳んだ状態で、矩形状のコンパクト体が形成できる構成であり、
該コンパクト体の展開と、該コンパクト体への折り畳みとが即時に可能な構成であること
を特徴とする折り畳み式コンパクトバッグ。
【請求項２】
前記第１谷折り目及び前記第２ガイドステッチ部に沿って折り畳んだ状態と共に、前記第１ガイドステッチ部及び前記第２谷折り目に沿って折り畳んだ状態において、アイロン工程により、前記第１谷折り目、前記第２ガイドステッチ部、前記第１ガイドステッチ部及び前記第２谷折り目に折り目が強固に形成され、
前記第１横折り目と前記第２横折り目とに沿って折り畳んだ状態において、アイロン工程により、前記第１横折り目及び前記第２横折り目に折り目が強固に形成された構成であること
を特徴とする請求項１に記載の折り畳み式コンパクトバッグ。
【請求項３】
前記第１ガイドステッチ部及び前記第２ガイドステッチ部は、山折りにしたヒダ部を縦方向に縫って形成したこと
を特徴とする請求項１及び２に記載の折り畳み式コンパクトバッグ。
【請求項４】
前記開口部に結束用のゴムバンドが設けられ、該ゴムバンドで前記コンパクト体を結束できる構成であること
を特徴とする請求項１に記載の折り畳み式コンパクトバッグ。
【請求項５】
前記開口部の内側に所用長さのポケット部が設けられていること
を特徴とする請求項１に記載の折り畳み式コンパクトバッグ。
【請求項６】
少なくとも前記正面部、前記背面部、前記マチ部、及び前記底部は、抗菌防臭加工が施された生地で形成されていること
を特徴とする請求項１に記載の折り畳み式コンパクトバッグ。
【考案の詳細な説明】
【技術分野】
【０００１】
本考案は、ショッピングバッグあるいはエコバッグとして好適な、折り畳み式コンパクトバッグに関するものである。
【背景技術】
【０００２】
近年、環境問題への関心の高まりやレジ袋の有料化に伴い、コンビニエンスストアやスーパーマーケットなどで購入できるレジ袋の使用を控えて、エコバッグを持ち歩く生活スタイルへの変化が進んでいる。
【０００３】
従来のエコバッグとしては、次のような構成のものが知られている。このエコバッグは、バッグ本体と、バッグ本体に設けられる一対の持ち手と、バッグ本体の開口部に沿って延出する立ち上がり部と、開口部を収縮拡張可能なよう当該開口部に沿って設けられるピアノ線とから構成される（特許文献１参照）。
【０００４】
このような構成のエコバッグは、不使用時にはピアノ線を引っ張って開口部を収縮させて小さく折り畳み、それを別体の携帯用外袋に収納してコンパクトに持ち運ぶことができる。
【先行技術文献】
【特許文献】
【０００５】
【特許文献１】実用新案登録第３０７２９３８号公報
【考案の概要】
【考案が解決しようとする課題】
【０００６】
従来例のエコバッグにおいては、携帯用外袋に収納してもサイズが大きく、カバンに入れたときに場所をとってしまう。また、洋服の胸ポケットに入れて持ち運ぶことは無理である。
そして、折り畳むときにピアノ線を引っ張って開口部を収縮させ、開口部を広げるときには手でピアノ線を押し広げる必要があり、手間が掛かって面倒であるという問題点を有している。
【０００７】
また、従来例のエコバッグは、冷えたペットボトル飲料や飲料缶などと、暖かい弁当とを分けて収納できないという問題点を有している。
【０００８】
さらには、生鮮食品などを収納したときに、黄色ブドウ球菌などによる防臭上または衛生上の問題点を有している。
【０００９】
従って、従来例におけるエコバッグにおいては、さらにコンパクトにして洋服の胸ポケットに納まるサイズにすることと、コンパクトにするときや広げるときに素早くできることと、冷えたペットボトル飲料や飲料缶などと暖かい弁当とを分けて収納できることとに必須の解決課題を有している。
さらには、生鮮食品などを収納したときの黄色ブドウ球菌などによる防臭上または衛生上の問題点に解決すべき課題を有している。
【課題を解決するための手段】
【００１０】
前記従来例の課題を解決するための本考案の要旨は、矩形状の正面部と、該正面部と重なり合う矩形状の背面部と、前記正面部及び前記背面部の両方の側部にそれぞれ折り畳まれて設けられるマチ部とを備え、上部に開口部を有し、該開口部に折り畳み可能な持ち手が縫着され、下部に所用広さの底部を有する折り畳み式コンパクトバッグであって、前記正面部には、第１谷折り目と、山折り目用の第１ガイドステッチ部とが所定の間隔を開けて設けられ、前記背面部には、前記第１ガイドステッチ部と重なる位置に第２谷折り目が設けられ、前記第１谷折り目と重なる位置に山折り目用の第２ガイドステッチ部が設けられ、前記第１谷折り目及び前記第２ガイドステッチ部に沿って折り畳んだ状態と共に、前記第１ガイドステッチ部及び前記第２谷折り目に沿って折り畳んだ状態において、第１横折り目が設けられており、該第１横折り目に沿って折り畳んだ状態において、第２横折り目が設けられており、該第２横折り目に沿って折り畳んだ状態で、矩形状のコンパクト体が形成できる構成であり、該コンパクト体の展開と、該コンパクト体への折り畳みとが即時に可能な構成であることである。
【００１１】
また、前記１谷折り目及び前記第２ガイドステッチ部に沿って折り畳んだ状態と共に、前記第１ガイドステッチ部及び前記第２谷折り目に沿って折り畳んだ状態において、アイロン工程により、前記第１谷折り目、前記第２ガイドステッチ部、前記第１ガイドステッチ部及び前記第２谷折り目に折り目が強固に形成され、前記第１横折り目と前記第２横折り目とに沿って折り畳んだ状態において、アイロン工程により、前記第１横折り目及び前記第２横折り目に折り目が強固に形成された構成であること、；
前記第１ガイドステッチ部及び前記第２ガイドステッチ部は、山折りにしたヒダ部を縦方向に縫って形成したこと、；
前記開口部に結束用のゴムバンドが設けられ、該ゴムバンドで前記コンパクト体を結束できる構成であること、；
前記開口部の内側に所用長さのポケット部が設けられていること、；
少なくとも前記正面部、前記背面部、前記マチ部、及び前記底部は、抗菌防臭加工が施された生地で形成されていること、；
を含むものである。
【考案の効果】
【００１２】
本考案に係る折り畳み式コンパクトバッグによれば、第１谷折り目及び第２ガイドステッチ部に沿って折り畳むと共に、第１ガイドステッチ部及び第２谷折り目に沿って折り畳んでから、第１横折り目に沿って折り畳み、さらに第２横折り目に沿って折り畳めば、矩形状のコンパクト体が形成できる。このようにコンパクト体に折り畳むと洋服の胸ポケットに収まる小形サイズになり、ハンカチ感覚で気軽に持ち運びができる。
そして、コンパクト体の展開と、コンパクト体への折り畳みとが簡単で即時に行うことができるという優れた効果を奏する。
【００１３】
第１谷折り目及び第２ガイドステッチ部に沿って折り畳んだ状態と共に、第１ガイドステッチ部及び第２谷折り目に沿って折り畳んだ状態において、アイロン工程により、第１谷折り目、第２ガイドステッチ部、第１ガイドステッチ部及び第２谷折り目に折り目が強固に形成され、第１横折り目と第２横折り目とに沿って折り畳んだ状態において、アイロン工程により、第１横折り目及び第２横折り目に折り目が強固に形成された構成であることによって、アイロン工程により折り目が強固に形成できるので、従来の高コストのプリーツ加工をおこなう必要がないという優れた効果を奏する。
【００１４】
第１ガイドステッチ部及び第２ガイドステッチ部は、山折りにしたヒダ部を縦方向に縫って形成したことによって、アイロン工程により山折り目が強固に形成できるので、従来の高コストのプリーツ加工をおこなう必要がないという優れた効果を奏する。
【００１５】
開口部に結束用のゴムバンドが設けられ、このゴムバンドでコンパクト体を結束できる構成であることによって、コンパクト体のコンパクト状態を維持できるという優れた効果を奏する。
【００１６】
開口部の内側に所用長さのポケット部が設けられていることによって、ポケット部に冷えたペットボトル飲料や飲料缶などを収納することにより、底部に収納する暖かい弁当と分けることができるという優れた効果を奏する。
【００１７】
少なくとも正面部、背面部、マチ部、及び底部は、抗菌防臭加工が施された生地で形成されていることによって、生鮮食品などを収納したときに、黄色ブドウ球菌などの繁殖を抑制し、菌由来の臭いの発生を防ぐことによって、防臭上または衛生上の問題が生じないという優れた効果を奏する。
【図面の簡単な説明】
【００１８】
【図１】本考案に係る折り畳み式コンパクトバッグの斜視図である。
【図２】本考案に係る折り畳み式コンパクトバッグの正面図である。
【図３】本考案に係る折り畳み式コンパクトバッグの背面図である。
【図４】第１谷折り目及び第２ガイドステッチ部に沿って折り畳み、第１ガイドステッチ部及び第２谷折り目に沿って折り畳む状態の正面図である。
【図５】第１谷折り目及び第２ガイドステッチ部に沿って折り畳み、第１ガイドステッチ部及び第２谷折り目に沿って折り畳んだ状態の正面図である。
【図６】第１横折り目に沿って折り畳む状態の正面図である。
【図７】第２横折り目に沿って折り畳む状態の正面図である。
【図８】コンパクト体の正面図である。
【図９】ゴムバンドで結束したコンパクト体の斜視図である。
【図１０】本考案に係る折り畳み式コンパクトバッグの使用状態の内部を示す説明図である。
【図１１】コンパクト体を手で把持した状態の説明図である。
【図１２】コンパクト体を洋服の胸ポケットに入れる状態の説明図である。
【考案を実施するための形態】
【００１９】
次に、本考案の実施の形態について図面を参照しながら説明する。まず、図１から図３において、符号１１は折り畳み式コンパクトバッグを示し、この折り畳み式コンパクトバッグ１１は、矩形状の正面部１２と、正面部１２と重なり合う矩形状の背面部１３と、正面部１２及び背面部１３の両方の側部にそれぞれ折り畳まれて設けられるマチ部１４とを備え、上部に開口部１５を有し、開口部１５に折り畳み可能な持ち手１６が縫着され、下部に所用広さの底部１７を有する構成である。
【００２０】
折り畳み式コンパクトバッグ１１は、布材、合成樹脂材、不織布材、又は紙材等の適宜な生地材で形成されている。これらの生地材は、所定の加工手段で抗菌防臭加工が施されており、その結果、生鮮食品などを収納したときに、黄色ブドウ球菌などの繁殖を抑制し、菌由来の臭いの発生を防ぐことによって、防臭上または衛生上の問題が解消される。
【００２１】
また、折り畳み式コンパクトバッグ１１は、上部に開口部１５を有して、そこから収納物の出し入れができる。
底部１７は所定の広さを有しており、底部１７にコンビニ弁当１８を水平な状態に収納できる（図１０参照）。
開口部１５の内側には、所用長さのポケット部１９が設けられており、このポケット部１９にペットボトル飲料２０や飲料缶などを収納できる（図１０参照）。従って、冷えたペットボトル飲料２０と、暖かい弁当１８と分けて収納することができる。
【００２２】
正面部１２には、図１及び図２に示すように、第１谷折り目２１と、山折り目用の第１ガイドステッチ部２２とが所定の間隔を開けて設けられている。
また、背面部１３には、図３に示すように、第１ガイドステッチ部２２と重なる位置に第２谷折り目２３が設けられ、第１谷折り目２１と重なる位置に山折り目用の第２ガイドステッチ部２４が設けられている。
【００２３】
第１ガイドステッチ部２２及び第２ガイドステッチ部２４は、図２及び図３に示すように、約２ｍｍ程度を山折りに摘まんで設けたヒダ部２９を縦方向に縫って形成し、後述するアイロン工程により山折り目を形成する。これにより、従来の高コストのプリーツ加工をおこなう必要がない。なお、図１から図３の符号３０は、ヒダ部２９を縦方向に沿って縫った縫着線を示す。
【００２４】
第１谷折り目２１及び第２ガイドステッチ部２４に沿って折り畳んだ状態と共に、第１ガイドステッチ部２２及び第２谷折り目２３に沿って折り畳んだ状態において（図４及び図５参照）、図６に示すように、第１横折り目２５が設けられている。図５に示す状態において、上方に延出する持ち手１６を下方に折り畳む（図５の矢印Ａ参照）。
【００２５】
そして、図５及び図６に示すように、第１横折り目２５に沿って折り畳むと（図５及び図６の矢印Ｂ参照）、図７に示すように、第２横折り目２６が設けられている。
【００２６】
さらに、図７に示すように、第２横折り目２６に沿って折り畳むと（図７の矢印Ｃ参照）、図８に示すように、矩形状のコンパクト体２７が形成できる。
【００２７】
コンパクト体２７は、図９に示すように、開口部１５に設けられた結束用のゴムバンド２８で結束して、コンパクト状態を維持することができる。
【００２８】
これらの手順で形成されたコンパクト体２７は、ゴムバンド２８の結束を外して、コンパクト体２７の即時の展開が可能であり、コンビニなどで折り畳み式コンパクトバッグ１１を直ぐに使用できる。また、上記の手順でそれぞれの折り目を折り畳むと、コンパクト体２７への折り畳みが簡単で即時に行える。
【００２９】
次に、アイロン工程による折り目を形成する手順について説明する。まず、第１谷折り目２１及び第２ガイドステッチ部２４に沿って折り畳み、第１ガイドステッチ部２２及び第２谷折り目２３を折り畳んだ状態（図４及び図５参照）、即ち、図５に示す折り畳み状態で、１回目のアイロンをおこなう。そして、図５に示す折り畳み状態を裏返して、２回目のアイロンをおこなう。
この１回目と２回目とのアイロン工程で、第１谷折り目２１と、第２ガイドステッチ部２４と、第１ガイドステッチ部２２と、第２谷折り目２３とに折り目が強固に形成される。これら折り目が形成されることによって、折り畳むときのガイドとしての役目だけでなく、折り畳み箇所の目印としての役目を果たすこととなる。
【００３０】
さらに、第１横折り目２５に沿って折り畳み（図６参照）、第２横折り目２６に沿って折り畳んで（図７参照）、図８に示すコンパクト体２７の状態で、３回目のアイロンをおこなう。
この３回目のアイロン工程で、第１横折り目２５と、第２横折り目２６とに折り目が強固に形成される。これら折り目が形成されることによって、折り畳むときのガイドとしての役目だけでなく、折り畳み箇所の目印としての役目を果たすこととなる。
【００３１】
この場合、図２に示すように、折り畳み式コンパクトバッグ１１を拡げた状態の正面図では、第１横折り目２５が、第１谷折り目２１と第１ガイドステッチ部２２とを介して、中央位置に設けられている。
また、第２横折り目２６が、第１谷折り目２１と第１ガイドステッチ部２２とを介して、上方及び下方位置に設けられている。
【００３２】
また、図３に示すように、折り畳み式コンパクトバッグ１１を拡げた状態の背面図では、第１横折り目２５が、第２谷折り目２３と第２ガイドステッチ部２４とを介して、中央位置に設けられている。
そして、第２横折り目２６が、第２谷折り目２３と第２ガイドステッチ部２４とを介して、上方及び下方位置に設けられている。
【００３３】
以上のように構成される折り畳み式コンパクトバッグ１１は、第１谷折り目２１及び第２ガイドステッチ部２４に沿って折り畳むと共に、第１ガイドステッチ部２２及び第２谷折り目２３に沿って折り畳んでから（図４及び図５参照）、第１横折り目２５に沿って折り畳み（図６参照）、さらに第２横折り目２６に沿って折り畳めば（図７参照）、図８に示す矩形状のコンパクト体が形成できる。
このようにコンパクト体２７に折り畳むと洋服の胸ポケットに収まる小形サイズになり、ハンカチ感覚で気軽に持ち運びができる（図１１及び図１２参照）。
そして、コンパクト体２７の展開と、コンパクト体２７への折り畳みとが簡単で即時に行うことができる。
【符号の説明】
【００３４】
１１  折り畳み式コンパクトバッグ
１２  正面部
１３  背面部
１４  マチ部
１５  開口部
１６  持ち手
１７  底部
１８  弁当
１９  ポケット部
２０  ペットボトル飲料
２１  第１谷折り目
２２  第１ガイドステッチ部
２３  第２谷折り目
２４  第２ガイドステッチ部
２５  第１横折り目
２６  第２横折り目
２７  コンパクト体
２８  ゴムバンド
２９  ヒダ部
３０  縫着線
【図１】
0003232593.tif 000003
【図２】
0003232593.tif 000004
【図３】
0003232593.tif 000005
【図４】
0003232593.tif 000006
【図５】
0003232593.tif 000007
【図６】
0003232593.tif 000008
【図７】
0003232593.tif 000009
【図８】
0003232593.tif 000010
【図９】
0003232593.tif 000011
【図１０】
0003232593.tif 000012
【図１１】
0003232593.tif 000013
【図１２】
0003232593.tif 000014
【手続補正書】
【提出日】令和3年4月14日(2021.4.14)
【手続補正１】
【補正対象書類名】明細書
【補正対象項目名】００１０
【補正方法】変更
【補正の内容】
【００１０】
前記従来例の課題を解決するための本考案の要旨は、矩形状の正面部と、該正面部と重なり合う矩形状の背面部と、前記正面部及び前記背面部の両方の側部にそれぞれ折り畳まれて設けられるマチ部とを備え、上部に開口部を有し、該開口部に折り畳み可能な持ち手が縫着され、下部に所用広さの底部を有する折り畳み式コンパクトバッグであって、前記正面部には、第１谷折り目と、山折り目用の第１ガイドステッチ部とが所定の間隔を開けて設けられ、前記背面部には、前記第１ガイドステッチ部と重なる位置に第２谷折り目が設けられ、前記第１谷折り目と重なる位置に山折り目用の第２ガイドステッチ部が設けられ、前記第１谷折り目及び前記第２ガイドステッチ部に沿って折り畳んだ状態と共に、前記第１ガイドステッチ部及び前記第２谷折り目に沿って折り畳んだ状態において、第１横折り目が設けられており、該第１横折り目に沿って折り畳んだ状態において、第２横折り目が設けられており、該第２横折り目に沿って折り畳んだ状態で、矩形状のコンパクト体が形成できる構成であることである。
【手続補正２】
【補正対象書類名】実用新案登録請求の範囲
【補正対象項目名】請求項１
【補正方法】変更
【補正の内容】
【請求項１】
矩形状の正面部と、該正面部と重なり合う矩形状の背面部と、前記正面部及び前記背面部の両方の側部にそれぞれ折り畳まれて設けられるマチ部とを備え、上部に開口部を有し、該開口部に折り畳み可能な持ち手が縫着され、下部に所用広さの底部を有する折り畳み式コンパクトバッグであって、
前記正面部には、第１谷折り目と、山折り目用の第１ガイドステッチ部とが所定の間隔を開けて設けられ、
前記背面部には、前記第１ガイドステッチ部と重なる位置に第２谷折り目が設けられ、前記第１谷折り目と重なる位置に山折り目用の第２ガイドステッチ部が設けられ、
前記第１谷折り目及び前記第２ガイドステッチ部に沿って折り畳んだ状態と共に、前記第１ガイドステッチ部及び前記第２谷折り目に沿って折り畳んだ状態において、第１横折り目が設けられており、
該第１横折り目に沿って折り畳んだ状態において、第２横折り目が設けられており、
該第２横折り目に沿って折り畳んだ状態で、矩形状のコンパクト体が形成できる構成であること
を特徴とする折り畳み式コンパクトバッグ。